【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
被検体をスキャンして得られた投影データに基づき逆投影演算を行って前記被検体のＣＴ画像の再構成を行うＣＴ画像の再構成方法であって、
前記投影データのうち不具合を有する投影データの値を該投影データと透過経路の近い他の投影データで代替すると共に、当該投影データの逆投影演算において、前記代替した他の投影データの位置情報を使用した逆投影演算を行うことを特徴とするＣＴ画像の再構成方法。
【請求項２】
被検体をスキャンする手段と、該スキャンにより得られた投影データに基づき逆投影演算を行って前記被検体のＣＴ画像の再構成を行う画像再構成手段とを備えたＣＴ装置であって、
前記画像再構成手段は、前記投影データのうち不具合を有する投影データの値を該投影データと透過経路の近い他の投影データに代替するデータ代替手段と、
当該投影データの逆投影演算において、前記代替した他の投影データの位置情報を使用した逆投影演算を行うデータ演算手段とを備えることを特徴とするＣＴ装置。
【請求項３】
データ代替手段は、前記不具合を有する投影データを、該不具合データを含むビューに隣接する前又は後ビュー中の該投影データと透過経路の近い投影データに代替することを特徴とする請求項２記載のＣＴ装置。
【請求項４】
データ代替手段は、前記不具合を有する投影データを、該不具合データを含むビュー中の該投影データと透過経路の近い投影データに代替することを特徴とする請求項２記載のＣＴ装置。
【請求項５】
データ代替手段は、前記不具合を有する投影データを、該不具合データを含むビューに対向するビュー中の前記不具合データに対向するチャネルの投影データで代替することを特徴とする請求項２記載のＣＴ装置。
【請求項６】
前記データ演算手段は、再構成するＣＴ画像面を挟んで体軸方向に相前後する位置の投影データを用いた、当該投影データの前記再構成するＣＴ画像との距離に基づく重み付け演算により逆投影データを求めるデータ補間演算手段を含むことを特徴とする請求項２から５の何れか一項に記載のＣＴ装置。
【請求項７】
前記スキャンが、ヘリカルスキャンであることを特徴とする請求項６記載のＣＴ装置。
【請求項８】
不具合を有する投影データとは、あるビュー中で値が所定閾値を下回るような値の極端に小さい投影データであることを特徴とする請求項２から７の何れか一項
に記載のＣＴ装置。
【請求項９】
コンピュータに請求項１記載のＣＴ画像の再構成方法を実行させるためのコンピュータ実行可能なプログラム。
【手続補正２】
【補正対象書類名】明細書
【補正対象項目名】０００１
【補正方法】変更
【補正の内容】
【０００１】
本発明はＣＴ画像の再構成方法及びＣＴ装置並びにプログラムに関し、被検体をスキャンして得られた投影データに基づき逆投影演算を行って前記被検体のＣＴ画像の再構成を行うＣＴ画像の再構成方法及びＣＴ装置並びにプログラムに適用して好適なるものである。
【手続補正３】
【補正対象書類名】明細書
【補正対象項目名】００１０
【補正方法】変更
【補正の内容】
【００１０】
本発明の第１の態様によるＣＴ画像の再構成方法は、被検体をスキャンして得られた投影データに基づき逆投影演算を行って前記被検体のＣＴ画像の再構成を行うＣＴ画像の再構成方法であって、前記投影データのうち不具合を有する投影データの値を該投影データと透過経路の近い他の投影データで代替すると共に、当該投影データの逆投影演算において、前記代替した他の投影データの位置情報を使用した逆投影演算を行うものである。従って、当該投影データの逆投影演算時には、代替データの値及びスキャン位置が忠実に反映され、より正確な画像再構成を行える。
【手続補正４】
【補正対象書類名】明細書
【補正対象項目名】００１１
【補正方法】変更
【補正の内容】
【００１１】
本発明の第２の態様によるＣＴ装置は、被検体をスキャンする手段と、該スキャンにより得られた投影データに基づき逆投影演算を行って前記被検体のＣＴ画像の再構成を行う画像再構成手段とを備えたＣＴ装置であって、前記画像再構成手段は、前記投影データのうち不具合を有する投影データの値を該投影データと透過経路の近い他の投影データに代替するデータ代替手段と、当該投影データの逆投影演算において、前記代替した他の投影データの位置情報を使用した逆投影演算を行うデータ演算手段とを備えるものである。従って、当該投影データの逆投影演算時には、代替データの値及びスキャン位置が忠実に反映され、より正確な画像再構成を行える。
【手続補正５】
【補正対象書類名】明細書
【補正対象項目名】００１２
【補正方法】変更
【補正の内容】
【００１２】
本発明の第３の態様では、例えば図４に示す如く、データ代替手段は、前記不具合を有する投影データｇ（ＣＨ３．Ｖｊ）を、該不具合データを含むビューＶｊに隣接する前又は後ビューＶｉ／Ｖｋ中の該投影データと透過経路の近い投影データｇ（ＣＨ２，Ｖｉ）／ｇ（ＣＨ４，Ｖｋ）に代替するものである。従って、不具合ｇ（ＣＨ３，Ｖｊ）を、体
軸方向に透過経路の近い投影データｇ（ＣＨ２，Ｖｉ）／ｇ（ＣＨ４，Ｖｋ）に代替すると共に、その位置情報を逆投影データｈ（ＣＨ３，Ｖｊ）の生成に忠実に反映できる。
【手続補正６】
【補正対象書類名】明細書
【補正対象項目名】００１３
【補正方法】変更
【補正の内容】
【００１３】
本発明の第４の態様では、データ代替手段は、前記不具合を有する投影データｇ（ＣＨ３，Ｖｊ）を、該不具合データを含むビューＶｊ中の該投影データと透過経路の近い投影データｇ（ＣＨ２，Ｖｊ）／ｇ（ＣＨ４，Ｖｊ）に代替するものである。従って、不具合データｇ（ＣＨ３．Ｖｊ）を、チャネル方向に透過経路の近い投影データｇ（ＣＨ２，Ｖｊ）／ｇ（ＣＨ４，Ｖｊ）に代替すると共に、その位置情報を逆投影データｈ（ＣＨ３，Ｖｊ）の生成に忠実に反映できる。
【手続補正７】
【補正対象書類名】明細書
【補正対象項目名】００１４
【補正方法】変更
【補正の内容】
【００１４】
本発明の第５の態様では、データ代替手段は、前記不具合を有する投影データｇ（ＣＨ３，Ｖｊ）を、該不具合データを含むビューＶｊに対向するビューＶｊ’中の前記不具合データに対向するチャネルＣＨｎ−２の投影データｇ（ＣＨｎ−２，Ｖｊ’）で代替するものである。対向ビューＶｊ’からでもエラ−となった透過ラインＬｊと略等価な透過ラインＬｊ’の代替データｇ（ＣＨｎ−２．Ｖｊ’）を取得できる。
【手続補正８】
【補正対象書類名】明細書
【補正対象項目名】００１５
【補正方法】変更
【補正の内容】
【００１５】
本発明の第６の態様では、例えば図３に示す如く、前記データ演算手段は、再構成するＣＴ画像面Ｓｉを挟んで体軸方向に相前後する位置の投影データｇ（ＣＨ４，Ｖｋ），ｇ（ＣＨ３，Ｖｊ’）を用いた、当該投影データの前記再構成するＣＴ画像との距離ｃ，ｂに基づく重み付け演算により逆投影データｈ（ＣＨ３，Ｖｊ）をを求めるデータ補間演算手段を含むものである。従って、代替データｇ（ＣＨ４，Ｖｋ）の値とデータ補間位置までの距離ｃとが忠実に反映され、より正確な断層像を再構成できる。
【手続補正９】
【補正対象書類名】明細書
【補正対象項目名】００１６
【補正方法】変更
【補正の内容】
【００１６】
本発明の第７の態様では、前記スキャンが、ヘリカルスキャンである。
【手続補正１０】
【補正対象書類名】明細書
【補正対象項目名】００１７
【補正方法】変更
【補正の内容】
【００１７】
本発明の第８の態様では、不具合を有する投影データとは、あるビュー中で値が所定閾値を下回るような値の極端に小さい投影データである。従って、検出素子の感度不良を有効に検出できる。
【手続補正１１】
【補正対象書類名】明細書
【補正対象項目名】００１８
【補正方法】変更
【補正の内容】
【００１８】
本発明の第９の態様によるプログラムは、コンピュータに本発明の第１の態様によるＣＴ画像の再構成方法を実行させるためのコンピュータ実行可能なプログラムである。